(57)【要約】【課題】側面衝突時に変形して衝撃を吸収する凹状リブの先端部が薄肉にならないようにして、衝撃吸収性にすぐれた車両用ドアトリムの構造を提供する。【解決手段】ドアトリム３は、車両のドア部材２の車室側に配設される。ドアトリム３は、ブロー成形によって形成された中空二重壁構造をなしている。車室側に露出する外壁面４と、ドア部材２によって覆い隠される内壁面５を有する。内壁面５には、外壁面４側へ突出する段部６を形成して、この段部６の底面７を対向する外壁面５に向けて窪ませて衝撃吸収のための凹状リブ８を形成する。内壁面５に形成される段部６は、内壁面５に垂直な衝撃吸収方向に対して３〜１５°の傾斜角αを有する側壁面９と、内壁面５に対して略平行な底面７からなるものである。【選択図】        図３
2004299631.tif 000002
【特許請求の範囲】
【請求項１】
車両のドア部材の車室側に配設されるドアトリムであって、ドアトリムは、ブロー成形によって形成された中空二重壁構造をなしていて、車室側に露出する外壁面と、ドア部材によって覆い隠される内壁面を有し、内壁面には、外壁面側へ突出する段部を形成してこの段部の底面を対向する外壁面に向けて窪ませて衝撃吸収のための凹状リブを形成してあることを特徴とする車両用ドアトリムの構造。
【請求項２】
内壁面に形成される段部は、内壁面に垂直な衝撃吸収方向に対して３〜１５°の傾斜角を有する側壁面と、内壁面に対して略平行な底面からなることを特徴とする請求項１記載の車両用ドアトリムの構造。
【請求項３】
内壁面に形成される段部の側壁面には、波状に湾曲した凹凸溝が形成されていることを特徴とする請求項１または２記載の車両用ドアトリムの構造。
【発明の詳細な説明】
【０００１】
【発明の属する技術分野】
本発明は、車両のドア部材の車室側に配設される車両用ドアトリムの構造に関するものである。
【０００２】
【従来の技術】
車両のドア部材の車室側に配設される車両用ドアトリムであって、ブロー成形によって複数の凹状リブを一体に形成したものは、特開２００１−３０７５４号公報に記載されている。
【０００３】
【発明が解決しようとする課題】
ところで、上記特開２００１−３０７５４号公報に記載されている車両用ドアトリムにあっては、ブロー成形時に凹状リブを一体に形成すると、パリソンの凹状リブの先端部にあたる部分大きく引き延ばされて薄肉となりるので、所期の衝撃吸収性が得られないという欠点がある。
【０００４】
そこで、本発明は、中空二重壁構造のドアトリムの内壁面に外壁面に向けた段部を形成して、その段部の底面に外壁面に向けた凹状リブを形成することにより、側面衝突時に変形して衝撃を吸収する凹状リブの先端部が薄肉にならないようにして、衝撃吸収性にすぐれた車両用ドアトリムの構造を提供することを目的とするものである。
【０００５】
【課題を解決するための手段】
上記目的を達成するための本発明の請求項１に係る車両用ドアトリムの構造は、車両のドア部材の車室側に配設されるドアトリムであって、ドアトリムは、ブロー成形によって形成された中空二重壁構造をなしていて、車室側に露出する外壁面と、ドア部材によって覆い隠される内壁面を有し、内壁面には、外壁面側へ突出する段部を形成してこの段部の底面を対向する外壁面に向けて窪ませて衝撃吸収のための凹状リブを形成してあることを特徴とするものである。
【０００６】
また、本発明の請求項２に係る車両用ドアトリムの構造は、請求項１記載の構成において、内壁面に形成される段部は、内壁面に垂直な衝撃吸収方向に対して３〜１５°の傾斜角を有する側壁面と、内壁面に対して略平行な底面からなることを特徴とするものである。
【０００７】
さらに、本発明の請求項３に係る車両用ドアトリムの構造は、請求項１または２記載の構成において、内壁面に形成される段部の側壁面には、波状に湾曲した凹凸溝が形成されていることを特徴とするものである。
【０００８】
【発明の実施の形態】
図１は本発明の一実施の形態に係るドアトリムの斜視図、図２は同上ドアトリムの裏面図、図３は図２におけるＡ−Ａ線断面図、図４は本発明の他の実施の形態に係るドアトリムの一部を示す裏面図である。
【０００９】
図１ないし図３において、１は車両のドアであり、２はそのドア部材であって、ドア部材２の車室側にはドアトリム３が配設されている。このドアトリム３は、ブロー成形によって形成された中空二重壁構造をなしている。中空二重壁構造のドアトリム３の車室側に露出する外壁面４は意匠面をなし、内壁面５はドア部材２によって覆い隠されている。
【００１０】
ドアトリム３の内壁面５には外壁面４に向けた段部６が形成されており、この段部６の底面７には、側面衝突時の衝撃によって変形して衝撃を吸収する凹リブ８が形成されている。内壁面５に形成された段部６は、その側壁面９が内壁面５に垂直な衝撃吸収方向に対して傾斜角αをなしており、その傾斜角αは３〜１５°である。段部６の側壁面９には、図４に示すように、波状に湾曲した凹凸溝１０を形成してもよい。側壁面９の傾斜角αを３〜１５°に設定することにより、段部６自体が凹状リブ８と同様に側面衝突時の衝撃によって変形し、衝撃を吸収することが可能となる。また、側壁面９に波状に湾曲した凹凸溝１０を形成することにより、衝撃吸収性を向上させることができる。
【００１１】
ドアトリム３は、熱可塑性樹脂をブロー成形した中空二重壁構造のものであって、その内壁面５に形成される段部６および段部６の底面７に形成される凹状リブ８が同時に形成される。ドアトリム３の内壁面５の段部６を形成した部分は、外壁面４に接近した底面７をなしているので、この底面７に形成される凹状リブ８はその先端部にあたるパリソンの伸張度がそれほど高くならず、したがって薄肉となることが防止される。このため、凹状リブ８の衝撃に対する高い強度が保たれる。
【００１２】
ドアトリム３の車室側に露出する外壁面４の意匠面はシボを形成したり、あるいは不織布や装飾シートを貼着して外観性を良好にしてある。ドアトリム３は、曲げ弾性率が８０００〜２４０００Ｋｇ／ｃｍ２の熱可塑性樹脂で構成するが、特にポリプロピレン樹脂またはその混合物であることが好適である。
【００１３】
中空二重壁構造のドアトリム３は、その搭乗者の腹部に対応する部分ａの膨らみが大きく、搭乗者の腰部にあたる部分ｂの膨らみがそれより小さい構造をなしており、腹部に対応する部分ａにおける凹状リブ８は外壁面４に対して比較的大きい間隔で対向させてあるのに対し、腰部にあたる部分ｂにおける凹状リブ８は外壁面４に極く近接、当接または溶着されている。
【００１４】
ドアトリム３において、搭乗者の腹部にあたる部分ａに位置する凹状リブ８を外壁面５に対して間隔を大きくとるのは、腹部にあたる部分ａでは柔らかい腹部では緩慢な衝撃吸収性が要求され、これに対して比較的堅い腰部では強い衝撃吸収性が要求されることに対応させるためでである。
【００１５】
【発明の効果】
本発明によれば、中空二重壁構造のドアトリムの内壁面に外壁面に向けた段部を形成して、その段部の底面に外壁面に向けた凹状リブを形成することにより、側面衝突時に変形して衝撃を吸収する凹状リブの先端部が薄肉にならないようにして、衝撃吸収性にすぐれた車両用ドアトリムの構造を提供することができる。
【図面の簡単な説明】
【図１】本発明の一実施の形態に係るドアトリムの斜視図である。
【図２】同上ドアトリムの裏面図である。
【図３】図２におけるＡ−Ａ線断面図である。
【図４】本発明の他の実施の形態に係るドアトリムの一部を示す裏面図である。
【符号の説明】
１  車両のドア
２  ドア部材
３  ドアトリム
４  外壁面
５  内壁面
６  段部
７  底面
８  凹リブ
９  側壁面
１０  凹凸溝
【図１】
2004299631.tif 000003
【図２】
2004299631.tif 000004
【図３】
2004299631.tif 000005
【図４】
2004299631.tif 000006